(57)【要約】白色光を生成する発光ダイオード（ＬＥＤ）照明システムが開示される。当該システムは、異なる波長レンジ及び関連する異なる特性のセットをもつ光を放出するために構成されるＬＥＤのセット、及びＬＥＤを駆動するために構成される駆動回路を有する。駆動回路は、所望の光強度、カラーレンダリングインデックス、及び色温度のための入力、ＬＥＤ温度の信号のための入力、前記ＬＥＤのセットのそれぞれのパラメータ、信号及び特性から前記ＬＥＤのセットについて駆動電流を決定するモデル、及び、ＬＥＤの電流ドライバを有する。少なくとも１つのＬＥＤのセットは、第一の波長のサブレンジと第一の特性のセットをもつ第一のＬＥＤのサブセット、及び第二の波長のサブレンジと第二の特性のセットをもつ第二のＬＥＤのサブセットを有する。ＬＥＤのセットの一纏めにされた波長のレンジは、第一及び第二の波長のサブレンジのレンジであり、ＬＥＤのセットの特性のセットは、第一及び第二の特性のセットの関数である。ＬＥＤのセットを制御する方法も開示される。
2008542990.tif 000002
【特許請求の範囲】
【請求項１】
白色光を生成する発光ダイオード（ＬＥＤ）の照明システムであって、
当該システムは、
第一の波長レンジ及び第一の特性のセットをもつ光を放出するために構成される第一のＬＥＤのセットと、
第二の波長レンジ及び第二の特性のセットをもつ光を放出するために構成される第二のＬＥＤのセットと、
第三の波長レンジ及び第三の特性のセットをもつ光を放出するために構成される第三のＬＥＤのセットと、
前記ＬＥＤのセットを駆動するために構成される駆動回路とを有し、
前記駆動回路は、
所望の光強度及び色を決定するパラメータを受ける入力と、
前記ＬＥＤのセットのＬＥＤ温度の信号を受ける入力と、
前記パラメータ、前記信号、前記ＬＥＤのセットのそれぞれの特性のセットから前記ＬＥＤのセットの駆動電流を決定するモデルと、
前記ＬＥＤのセットに決定された駆動電流を供給する電流ドライバとを有し、
前記第三のＬＥＤのセットは、第一の波長のサブレンジ及び第一の特性のセットをもつ第一のＬＥＤのサブセットと、第二の波長のサブレンジ及び第二の特性のセットをもつ第二のＬＥＤのサブセットを有し、
前記第三の波長のレンジは、前記第一及び第二の波長のサブレンジの一纏めにされた波長レンジであり、前記第三の特性のセットは、前記第一及び第二の特性のセットの関数である、
ことを特徴とする照明システム。
【請求項２】
前記特性のセットは、光出力への温度の依存度、波長への温度の依存度、又は光出力への電流の依存度、若しくはそれらの任意の組み合わせを含む、
請求項１記載の照明システム。
【請求項３】
前記第一の波長レンジは４５０ｎｍから４９０ｎｍの範囲であり、前記第二の波長レンジは５２０ｍｍから５５０ｎｍの範囲であり、前記第三の波長レンジは５８０ｎｍから６４５ｎｍの範囲であり、前記第三の波長は、５８０ｎｍから６００ｎｍまでの第一のサブレンジと６１０ｎｍから６４５ｎｍまでの第二のサブレンジからなる一纏めにされた波長レンジである、
請求項１又は２記載の照明システム。
【請求項４】
前記第一の波長レンジは６１０ｎｍから６４５ｎｍまでの範囲であり、前記第二の波長レンジは５８０ｍｍから６００ｎｍまでの範囲であり、前記第三の波長レンジは４５０ｎｍから５５０ｎｍまでの範囲であり、前記第三の波長は４５０ｎｍから４９０ｎｍまでの第一のサブレンジと５２０ｎｍから５５０ｎｍまでの第二のサブレンジからなる一纏めにされた波長レンジである、
請求項１又は２記載の照明システム。
【請求項５】
前記第一及び第二のＬＥＤのサブセットは、電気的に直列接続される、
請求項１乃至４の何れか記載の照明システム。
【請求項６】
前記ＬＥＤのセットのＬＥＤ温度について前記信号を供給する温度センサを更に有し、前記温度センサは、前記ＬＥＤのセットに配置されるヒートシンクに配置される、
請求項１乃至５の何れか記載の照明システム。
【請求項７】
前記ＬＥＤのセットのそれぞれの前記モデルは、ＬＥＤ温度と基準温度の間の差に依存するＬＥＤ温度の波長関数、及び、それぞれのＬＥＤのセットの特性に従って温度パラメータへの波長の依存度を含む、
請求項１乃至６の何れか記載の照明システム。
【請求項８】
白色光を与えるため、それぞれのＬＥＤのセットが波長レンジ及び特性のセットをもつ光を放出するために構成される３つのＬＥＤセットを制御する方法であって、
当該方法は、
所望の光強度及び色を決定するステップと、
ＬＥＤのセットのＬＥＤ温度を決定するステップと、
それぞれのＬＥＤのセットについて、前記所望の光強度及び色並びに前記ＬＥＤ温度から駆動電流を決定するステップと、
前記ＬＥＤのセットに前記駆動電流を供給するステップを含み、
前記ＬＥＤのセットのうちの少なくとも１つは、第一の波長のサブレンジと第一の特性のセットをもつ第一のＬＥＤのサブセット、及び、第二の波長のサブレンジと第二の特性のセットをもつ第二のＬＥＤのサブセットを有し、
前記ＬＥＤのセットの波長レンジは、前記第一及び第二の波長のサブレンジの一纏めにされた波長レンジであり、前記ＬＥＤのセットの特性のセットは、前記第一及び第二の特性のセットの関数である、
ことを特徴とする方法。
【請求項９】
前記ＬＥＤのセットのそれぞれについて駆動電流を決定する前記ステップは、ＬＥＤ温度と基準温度の間の差に依存するＬＥＤ温度の波長関数、及びそれぞれのＬＥＤのセットの特性に従う温度パラメータへの波長の依存度を有する、それぞれのＬＥＤのセットのためのモデルを使用する、
請求項９又は１０記載の方法。
【発明の詳細な説明】
【技術分野】
【０００１】
本発明は、白色光を生成する発光ダイオード（ＬＥＤ）照明システム、白色光を供給する３以上のＬＥＤセットを制御する方法に関する。
【背景技術】
【０００２】
色調節可能な発光ダイオード（ＬＥＤ）の光源の現在の問題は、カラーレンダリング特性である。十分の広い色域（color  gamut）を得るため、光源は、赤、緑及び青の３色のＬＥＤを通常有する。このことは、米国特許第6411046号に記載されており、ここではＬＥＤの光出力及び色は、異なる温度についてそれぞれのＬＥＤ光源の色座標を測定し、温度の関数として色座標の表現を記憶し、温度の関数として色座標の式を導出し、色座標及びルーメンの出力部分をオンラインで計算し、計算された色座標及びルーメンの出力部分に基づいてＬＥＤの光出力及び色を制御することで制御される。しかし、計算パワーに関する要求は照明システムのコストを増加する。さらに、３色システムのカラーレンダリング特性は、満足されるものではない場合がある。なお、カラーレンダリングインデックスは、照明システムを設計するときに、ＬＥＤの波長を選択することで最適化することができる。このことは、より多くの色を使用することで克服することができる。
【発明の開示】
【発明が解決しようとする課題】
【０００３】
しかし、計算パワーに関する要求は更に増加し、これに応じてコストが増加する。したがって、改善されたＬＥＤ照明システム、係るＬＥＤ照明システムを制御する改善された方法が必要とされる。
【課題を解決するための手段】
【０００４】
上述の点に鑑みて、本発明の目的は、上述された問題を解決又は少なくとも低減することにある。特に、本発明の目的は、複雑度の意味でカラーレンダリングの最適化を改善することにある。
【０００５】
本発明は、カラーレンダリングの制御における複雑度は、異なる色のＬＥＤを連帯して駆動することで低減することができること、このことが、満足されるカラーレンダリング及び色特性を得るために、どのように実現することができるかという理解に基づいている。
【０００６】
本発明の第一の態様によれば、白色光を生成する発光ダイオード（ＬＥＤ）照明システムが提供され、当該システムは、第一の波長レンジ及び第一の特性のセットをもつ光を放出するために構成される第一のＬＥＤのセット、第二の波長レンジ及び第二の特性のセットをもつ光を放出するために構成される第二のＬＥＤのセット、第三の波長レンジ及び第三の特性のセットをもつ光を放出するために構成される第三のＬＥＤのセット、並びに、前記ＬＥＤのセットを駆動するために構成される駆動回路を有する。駆動回路は、所望の光強度及び色を決定するパラメータを受ける入力、ＬＥＤのセットのＬＥＤ温度の信号を受ける入力、前記パラメータ、前記信号、前記ＬＥＤのセットのそれぞれの特性のセットから前記ＬＥＤのセットの駆動電流を決定するモデル、前記ＬＥＤのセットに決定された電流を供給する電流ドライバを有する。当該システムは、前記第三のＬＥＤのセットが、第一の波長のサブレンジ及び第一の特性のセットをもつ第一のＬＥＤのサブセット、及び第二の波長のサブレンジ及び第二の特性のセットをもつ第二のＬＥＤのサブセットを有することを特徴とし、前記第三の波長のレンジは、前記第一及び第二の波長のサブレンジの一纏めにされた波長レンジであり、前記第三の特性のセットは、前記第一及び第二の特性のセットの関数である。
【０００７】
この利点は、制御の複雑度を増加することなしにカラーレンダリングが向上されることである。３を超える色の使用により、生成されるべき色を選択した後にカラーレンダリングインデックスが最適化される。
【０００８】
前記特性のセットは、光出力に温度が依存すること、波長に温度が依存すること、又は光出力に電流が依存すること又はそれらの任意の組み合わせを含む。  
発光ダイオードの第一及び第二のサブセットは、電気的に直列接続される。  
この利点は、２つのＬＥＤのセットに同じ電流が供給されることである。  
照明システムは、ＬＥＤのセットのＬＥＤ温度について前記信号を供給する温度センサを更に有し、前記温度センサは、前記ＬＥＤのセットに配置されるヒートシンクに配置される。
【０００９】
前記ＬＥＤのセットのそれぞれのモデルは、ＬＥＤ温度と基準温度の間の差からなる商の指数関数であるＬＥＤ温度の光束関数、及び、それぞれのＬＥＤのセットの特性に従って温度パラメータへの光束の依存度を有する場合がある。前記それぞれのＬＥＤのセットのモデルは、ＬＥＤ温度と基準温度の間の差に依存するＬＥＤ温度の波長関数、及び、それぞれのＬＥＤのセットの特性に係る温度パラメータへの波長の依存度を有する場合がある。
【００１０】
本発明の第二の態様によれば、白色光を与えるため、それぞれのＬＥＤのセットが波長レンジ及び特性のセットをもつ光を放出するために配置される３つのＬＥＤセットを制御する方法が設けられ、当該方法は、所望の光強度及び色を決定するステップ、ＬＥＤのセットのＬＥＤ温度を決定するステップ、それぞれのＬＥＤのセットについて、前記所望の光強度及び色並びに前記ＬＥＤ温度から前記ＬＥＤのセットの駆動電流を決定するステップ、前記ＬＥＤのセットに前記駆動電流を供給するステップを含む。当該方法は、前記ＬＥＤのセットのうちの少なくとも１つは、第一の波長のサブレンジと第一の特性のセットをもつ第一のＬＥＤのサブセット、及び、第二の波長のサブレンジと第二の特性のセットをもつ第二のＬＥＤのサブセットを有し、前記ＬＥＤのセットの波長レンジは、前記第一及び第二の波長のサブレンジの一纏めにされた波長レンジであり、前記ＬＥＤのセットの特性のセットは、前記第一及び第二の特性のセットの関数である。
【００１１】
前記それぞれのＬＥＤのセットについて、前記ＬＥＤのセットのそれぞれの駆動電流を決定する前記ステップは、ＬＥＤ温度と基準温度の間の差に依存するＬＥＤ温度の波長関数、及びそれぞれのＬＥＤのセットの特性に従う温度パラメータへの波長の依存度を有する、それぞれのＬＥＤのセットのためのモデルを使用する。
【００１２】
ＬＥＤのセットは、１以上のＬＥＤを有する。  
ＬＥＤ温度により、ＬＥＤが動作する温度が意味される。物理的に、これは接合温度であり、実用的かつ測定可能に、これは、たとえばＬＥＤカプセル又はＬＥＤのヒートシンクといったジャンクションに近い媒体の温度である。  
基準温度により、たとえばＬＥＤの特性が規定される公称の温度が意味される。
【００１３】
一般に、請求項で使用される全ての用語は、本明細書で明示的に定義されない場合には技術分野におけるそれらの通常の意味に従って解釈される。“a/an/the［エレメント、デバイス、コンポーネント、手段、ステップ等］”に対する全ての引用は、明示的に説明されない場合には、係るエレメント、デバイス、コンポーネント、手段、ステップ等の少なくとも１つの例を引用するものとして広く解釈される。本明細書で開示される方法のステップは、明示的に説明されない場合、開示される正確な順序で実行される必要がない。
【００１４】
本発明の他の目的、特徴及び利点は、以下の詳細な開示、従属の請求項及び添付図面から明らかである。  
本発明の上述の目的、特徴及び利点、並びに更なる目的、特徴及び利点は、添付図面を参照して、本発明の好適な実施の形態の以下の例示的であって限定するものではない詳細な説明を通して良好に理解される。図面において、同一の参照符号は、同様のエレメントについて使用される。
【発明を実施するための最良の形態】
【００１５】
図１は、本発明の実施の形態に係る照明システム１００を示しており、当該システムは、ＬＥＤのセット１０２，１０３及び１０４、駆動回路１０６、並びに、たとえば強度及び色といった所望の光パラメータを受ける入力１０８を有する。それぞれのＬＥＤのセット１０２，１０３及び１０４は、波長レンジ及び関連する特性のセットをもつ光を放出するために調節される。この特性は、光出力への温度の依存度、波長への温度の依存度、及び／又は光出力への電流の依存度である。駆動回路１０６は、たとえばそれぞれのＬＥＤのセット１０２，１０３及び１０４について決定された駆動電流を供給することで、ＬＥＤ１０２，１０３及び１０４のセットを駆動するために構成される。駆動電流は、あるモデルにより決定され、このモデルへの入力は、入力１０８により供給される所望の光パラメータ、ＬＥＤのセット１０２，１０３及び１０４の特性、及び、ＬＥＤのセット１０２，１０３及び１０４の決定された接合温度である。ＬＥＤ温度、すなわち接合温度に関連する温度は、たとえばＬＥＤのヒートシンクの測定温度から決定される。実施の形態の制御メカニズムは、例として解釈されるべきであり、当該技術分野で知られている他の制御メカニズムも同様に可能である。システム１００は、図３、図４及び図５を参照して更に記載される特徴を有する。
【００１６】
図２は、図１の駆動回路の実施の形態の機能的なブロック図である。駆動回路１０６は、モデル２００、ＬＥＤのセットの特性のためのメモリ２０２、所望の光パラメータの入力２０４、ＬＥＤ温度の入力２０６、及び電流ドライバ２０８を有する。モデル２００には、特性、光パラメータ、及び決定されたＬＥＤ温度が提供され、電流ドライバ２０８にＬＥＤのセットのそれぞれのための決定された電流レベルを提供し、電流ドライバは、ＬＥＤのセット（図示せず）に電流を供給する。駆動回路１０６は、図３、図４及び図５を参照して更に説明される特徴を有する。
【００１７】
図３は、本発明の実施の形態に係る照明システム３００を示す。照明システム３００は、３つの駆動信号を供給するために構成される駆動回路３０２を有する。なお、図１及び図２を参照して先に説明された駆動信号を決定する部分の説明は、説明の明確さのために省略されている。第一の駆動信号は、ここでは単一のＬＥＤ３０４として示される第一のセットの発光ダイオード（ＬＥＤ）を駆動するために構成され、このＬＥＤは、第一の波長レンジをもつ光を放出するために構成される。駆動回路３０２からの第二の駆動信号は、第一のＬＥＤのサブセット及び第二のＬＥＤのサブセットを有する第二のＬＥＤのセットを駆動するために構成される。第一のＬＥＤのサブセットは、ここでは単一のＬＥＤ３０６として示され、このＬＥＤは、第一の波長のサブレンジをもつ光を放出するために構成され、第一の特性のセットと関連される。第二のＬＥＤのサブセットは、ここでは単一のＬＥＤ３０８として示され、このＬＥＤは、第二の波長のサブレンジをもつ光を放出するために構成され、第二の特性のセットと関連される。第二のＬＥＤのセットは、異なる波長レンジ及び異なる特性をもつ２つのＬＥＤのサブセットを有するが、単一のＬＥＤのセットとして扱われる。したがって、第二のＬＥＤのセットには、第一及び第二の波長のサブレンジの一纏めにされた波長レンジである波長レンジが割り当てられる。同様に、第二のＬＥＤのセットは、第一及び第二の特性のセットの関数である特性が割り当てられる。第一及び第二のＬＥＤのサブセット３０６，３０８は、電気的に直列接続される。第三の駆動信号は、ここでは単一のＬＥＤ３１０として示される、第三のＬＥＤのセットを駆動するために構成され、このＬＥＤは、第三の波長レンジをもつ光を放出するために構成される。３つの駆動信号を制御することで、ＬＥＤのセットは、異なる色で光を放出し、所望の白色光をもつ全体の光出力を与える。さらに、３つの駆動信号の制御により、全体の光出力の色及び強度を制御することができる。
【００１８】
ＬＥＤのセットは、１以上のＬＥＤを有する。それぞれのセットにおけるＬＥＤの数は、所望の色及び強度をもつ白色光の供給に関する実行できる制御を可能にするため、様々な波長間のバランスを最適にするために選択される。
【００１９】
第一の波長レンジの光は緑であり、中心の波長は、すなわち５２０ｍｍ〜５５０ｎｍのレンジにある。第三の波長レンジの光は青であり、すなわち中心の波長は、４５０ｎｍ〜４９０ｎｍのレンジにある。第一及び第二の波長のサブレンジは、赤及び黄色であり、すなわち、中心の波長は、６１０ｎｍ〜６４５ｎｍ、及び５８０ｎｍ〜６００ｎｍのそれぞれのレンジにある。ＬＥＤの性質のため、中心波長の周りの波長の光も提供される。さらに、中心波長は、ＬＥＤの接合部温度に依存する。  
上記波長は例であり、本発明の範囲において他の波長及び波長のレンジも可能である。
【００２０】
ＬＥＤの特性は、たとえばＬＥＤのデータシートといった、基準波長レンジ、基準光出力、基準温度等から離れて、波長及び光出力が温度に依存する。経験的に、光出力（光束）は、たとえば以下の式から導出されることが分かる。
【００２１】
【数１】
2008542990.tif 000003
ここでＴ0は特性変数（characteristic  variable）である。さらに、ピーク波長シフトは、たとえば経験的に発見された関係により記載することができる。
【００２２】
【数２】
2008542990.tif 000004
ここでβは特性変数（characteristic  variable）である。特性の値は、例示的な表１で見られるように、異なる色のＬＥＤについて異なる。
【００２３】
【表１】
2008542990.tif 000005
特性における差は、赤及び黄のＬＥＤの組み合わせを単一の一纏めにされたＬＥＤとして見ることができることが明らかでないことを意味する。これら４色を利用したカラーフィードバックシステムをもつ以前のテストは、温度の振る舞いにおける差が余りに重要であるので、１つの温度での光学特性のみを考慮して、１つの自由度における赤及び黄のＬＥＤを一纏めにすることができないことを示している。結合されたＬＥＤは、通常のＬＥＤと同様の放射パターン及び挙動をもつ一纏めにされたＬＥＤとしてモデル化することができる。シミュレーションにより、ｘ及びｙ座標における放射パターン、並びに結合された赤及び黄のＬＥＤの光束の出力が決定される。表２は、シミュレーションの例を示している。
【００２４】
【表２】
2008542990.tif 000006
表２のシミュレーション結果に基づいて、６つの黄色と２つの赤色のＬＥＤの組み合わせは、非常に良好なカラーレンダリング特性、並びに、容易な駆動、カラーフィードバック及び色調節機能が得られる。所望のカラーポイントを選択することで明示的に決定される３つの自由度が存在するために容易である。なお、類似の一纏めにされたＬＥＤは、赤及び黄のＬＥＤの異なる組み合わせについて定義されるか、たとえば青及びシアンのＬＥＤ、青及び緑のＬＥＤ、又は緑及びシアンのＬＥＤといった異なる色の組み合わせについて定義することができる。
【００２５】
代替的な実施の形態では、共に駆動されているセットについて等しい電圧を供給することが望まれる。図４は、本発明の実施の形態に係る照明システム４００を示す。照明システム４００は、３つの駆動信号を供給するための駆動回路４０２を有する。なお、図１及び図２を参照して先に記載された駆動信号を決定する部分の説明は、説明の明確さのために省略される。第一の駆動信号は、ここでは単一のＬＥＤ４０４として示される第一のＬＥＤのセットを駆動するために構成され、このＬＥＤは、第一の波長のレンジをもつ光を放出するために構成される。駆動回路４０２からの第二の駆動信号は、第一のＬＥＤのサブセットと第二のＬＥＤのサブセットを有する第二のＬＥＤのセットを駆動するために構成される。第一のＬＥＤのサブセットは、ここでは単一のＬＥＤ４０６として示され、このＬＥＤは、第一の波長のサブレンジをもつ光を放出するために構成され、第二のＬＥＤのサブセットは、ここでは単一のＬＥＤ４０８として示され、このＬＥＤは、第二の波長のサブレンジをもつ光を放出するために構成される。第二のＬＥＤのセットは、異なる波長レンジ及び異なる特性をもつ２つのＬＥＤのセットを有するが、単一のＬＥＤのセットとして扱われる。したがって、第二のＬＥＤのセットには、第一及び第二の波長のサブレンジの一纏めにされた波長レンジである波長レンジが割り当てられる。同様に、第二のＬＥＤのセットには、第一及び第二のサブセットの特性の関数である特性が割り当てられる。第一及び第二のＬＥＤのサブセットは、２つのＬＥＤのサブセット４０６，４０８について等しい電圧を提供するために電気的に並列に接続される。
【００２６】
図５は、本発明の実施の形態に係る照明システム５００を示し、ここでは２つの駆動信号のみが提供されている。照明システム５００は、２つの駆動信号を供給するために構成される駆動回路５０２を有する。第一の駆動信号は、ここでは単一のＬＥＤ５０４として示される、第一の発光ダイオード（ＬＥＤ）のセットを駆動するために構成され、このＬＥＤは、第一の波長をもつ光を放出するために構成される。駆動回路５０２からの第二の駆動信号は、第一のＬＥＤのサブセットと第二のＬＥＤのサブセットを有する第二のＬＥＤのセットを駆動するために構成される。第一のＬＥＤのサブセットは、ここでは単一のＬＥＤ５０６として示され、このＬＥＤは、第一の波長のサブレンジをもつ光を放出するために構成され、第二のＬＥＤのサブセットは、ここでは単一のＬＥＤ５０８として示され、このＬＥＤは、第二の波長のサブレンジをもつ光を放出するために構成される。第二のＬＥＤのセットは、異なる波長レンジ及び異なる特性をもつ２つのＬＥＤのサブセットを有するが、単一のＬＥＤのセットとして扱われる。したがって、第二のＬＥＤのセットには、第一及び第二の波長のサブレンジの一纏めにされた波長レンジである波長レンジが割り当てられる。第一及び第二のＬＥＤのサブセットは、２つのセット５０６及び５０８について等しい電流を供給するために電気的に直列に接続される。
【００２７】
ＬＥＤのセット及びサブセットは、１以上のＬＥＤを有する。それぞれのセット及びサブセットにおけるＬＥＤの数は、所望の色の温度レンジ及び色レンダリングインデックス、色及び強度をもつ白色光の供給の制御を可能にするため、様々な波長間のバランスを最適化するために選択することができる。色及びそれらの波長当たりのＬＥＤの数は、所望の色の温度レンジ、色レンジ及び光強度のレンジにおける所定の色のレンダリングについて最適化される。
【００２８】
第一の波長の光は赤であり、すなわち中心波長は６１０ｎｍ〜６４５ｎｍのレンジにある。第一及び第二のＬＥＤのサブセットの色は青及び緑のそれぞれであり、すなわち中心波長は４５０ｎｍ〜４９０ｎｍ及び５２０ｎｍ〜５５０ｎｍのそれぞれのレンジにある。
【００２９】
本発明の先の実施の形態は、１を超えるＬＥＤのサブセットを駆動し、生成された白色光の色温度の制御を容易にすることを示している。４色のシステムを３つの自由度に低減すること、３色のシステムを２つの自由度に低減するための説明が行われた。しかし、本発明は、低減された数の制御の自由度により、任意の数の色をもつシステムを実現するために使用することができる。したがって、照明システムは、上述した内容に類似したＬＥＤの２以上の一纏めにされたＬＥＤのセットを有する。
【００３０】
図６は、本発明の実施の形態に係る複数のＬＥＤのセットを制御する方法を説明するフローチャートである。第一の判定ステップ６００では、所望の光強度、カラーレンダリングインデックス及び色温度が決定される。第二の判定ステップ６０２では、たとえばＬＥＤのヒートシンクの温度を測定し、ヒートシンクの温度からＬＥＤの接合部温度を決定することで、好ましくは接合部温度であるＬＥＤ温度が決定される。第三の判定ステップ６０４では、ＬＥＤのセットのそれぞれの駆動電流は、所望の光強度、カラーレンダリングインデックス、及び色温度、及びＬＥＤ温度から決定される。電流供給ステップ６０６では、駆動電流は、ＬＥＤのセットのそれぞれに供給される。さらに、本方法は、図３、図４及び図５を参照した先の記載に従う特徴を有する。
【００３１】
本発明の記載された実施の形態に係る方法は、多数のステップを有する。これらステップは、当該技術分野のリアルタイムの制約のために、連続的に、又は並列に、任意の順序で実行することができる。
【００３２】
本発明は、幾つかの実施の形態を参照して先に記載された。しかし、当業者により容易に理解されるように、上述された以外の実施の形態は、特許請求の範囲により定義されるように、本発明の範囲で同様に可能である。
【図面の簡単な説明】
【００３３】
【図１】本発明の実施の形態に係る照明システムを示すブロック図である。
【図２】本発明の実施の形態に係る駆動回路の機能的なブロック図である。
【図３】本発明の実施の形態に係る照明システムを示す図である。
【図４】本発明の実施の形態に係る照明システムを示す図である。
【図５】本発明の実施の形態に係る照明システムを示す図である。
【図６】本発明の実施の形態に係るＬＥＤを制御する方法を説明するフローチャートである。
【図１】
2008542990.tif 000007
【図２】
2008542990.tif 000008
【図３】
2008542990.tif 000009
【図４】
2008542990.tif 000010
【図５】
2008542990.tif 000011
【図６】
2008542990.tif 000012
【国際調査報告】
2008542990.tif 000013
2008542990.tif 000014